(57)【要約】【課題】  タブレット端末を使い易くすると共に、鞄本体を利用してタブレット端末の機能の利便性を高めた、タブレット端末収納体を備えた鞄を提供する。【解決手段】  タブレット端末表示部３の表示窓４を具備するタブレット端末収納体７と、鞄本体８とを夫々の底面部７ａ、８ａで可撓性連結帯９によって連結したタブレット端末収納体を備えた鞄本体８であって、横臥状態の鞄本体８の底面部近傍の前面部上に、タブレット端末収納体７をその上端を鞄本体の外方側に若干傾斜した斜め起立姿勢で載置させた時、その起立姿勢を保持すべく、タブレット端末収納体７の上端に固着した上端ベルト２２に延長ベルト３１を係止させ、延長ベルト３１の他端部と、タブレット端末収納体７の下端両端部に固着した下端ベルト２５，２６の他端部とを鞄本体８に係止するように構成した。【選択図】図５
2014018253.tif 000002
【特許請求の範囲】
【請求項１】
タブレット端末を収納自在であり、前面部に前記タブレット端末表示部の表示窓を具備するタブレット端末収納体の底面部と、鞄本体の底面部とを所定長さの可撓性連結帯によって連結し、前記可撓性連結帯を介して前記タブレット端末収納体を前記鞄本体の後面部に隣接させて並置自在に構成される、タブレット端末収納体を備えた鞄本体であって、
前記タブレット端末収納体の上端に、一端部に係止部を備えた上端ベルトの他端部を固着し、
前記タブレット端末収納体の下端両端部に、一端部に夫々係止部を備えた２本の下端ベルトの他端部を夫々固着し、
両端部に係止部を備えると共に長さ調節自在の延長ベルトの一端部の係止部を前記上端ベルトの係止部に係止自在に設け、
前記鞄本体を前面部が上面になるように横臥状態とし、横臥状態の前記鞄本体の底面部近傍の前面部上に、前記タブレット端末を収納した前記タブレット端末収納体が、その前面部上端が前記鞄本体の外方側に若干傾斜した斜め起立姿勢で載置した時、前記タブレット端末収納体の斜め起立姿勢を保持すべく、前記延長ベルトの一端部の係止部を前記上端ベルトの係止部に係止し、前記延長ベルトの他端部の係止部及び前記２本の下端ベルトの係止部を前記鞄本体の前面部に予め設けた対応する係止部に係止させるように構成したことを特徴とする、タブレット端末収納体を備えた鞄。
【請求項２】
前記可撓性連結帯は、前記タブレット端末収納体の底面部と、前記鞄本体の底面部とを夫々の底面部の長手方向中央線略中央部で連結することを特徴とする請求項１記載のタブレット端末収納体を備えた鞄。
【請求項３】
前記鞄本体を後面部が上面になるように横臥状態とし、横臥状態の前記鞄本体の底面部に、後面部に前記タブレット端末のカメラ部の撮影窓を具備する前記タブレット端末収納体の前面部を隣接させて前記タブレット端末収納体を起立姿勢で設置した時、前記タブレット端末収納体の起立姿勢を保持すべく、前記延長ベルトの一端部の係止部を前記上端ベルトの係止部に係止し、前記延長ベルトの他端部の係止部を前記鞄本体の後面部に予め設けた対応する係止部に係止させるように構成したことを特徴とする請求項１又は２記載のタブレット端末収納体を備えた鞄。
【請求項４】
前記鞄本体の前面部に、前記上端ベルトの一端部に備えた係止部を係止するための係止部を備え、
前記鞄本体の後面部に前記タブレット端末の前面部を隣接させて並置した時、前記鞄本体と、前記タブレット端末との隣接並置状態を保持するため、前記上端ベルトの一端部に備えた係止部を前記鞄本体の前面部に設けた対応する係止部に係止させるように構成したことを特徴とする請求項１乃至３のうちいずれか一に記載のタブレット端末収納体を備えた鞄。
【請求項５】
前記２本の下端ベルトの係止部を夫々係止させるため前記鞄本体の前面部に設けた係止部に、前記延長ベルトの両端に備えられた係止部を夫々係止させて前記延長ベルトを格納することを特徴とする請求項１乃至４のうちいずれか一に記載のタブレット端末収納体を備えた鞄。
【請求項６】
前記上端ベルトは長手方向中間部に回転金具を備え、前記上端ベルトの他端部に対し一端部が回転自在に構成されていることを特徴とする請求項１乃至５のうちいずれか一に記載のタブレット端末収納体を備えた鞄。
【発明の詳細な説明】
【技術分野】
【０００１】
本発明は、タブレット端末収納体を備えた鞄に関し、タブレット端末を使い易くすると共に、鞄本体を利用してタブレット端末の機能の利便性を高めた、タブレット端末収納体を備えた鞄に関する。
【背景技術】
【０００２】
従来技術として、タブレット端末や携帯電話を専用スペース、又は、内部スペースに収納できるようにした鞄やバッグ等は知られている。
尚、タブレット端末とは、タブレット（平板）型でキーボードはついておらず、液晶等の画面に指先をあてながら操作する「タッチパネル」が採用された、インターネット検索や電子メール、動画、電子書籍、ゲーム、映画鑑賞等の機能を備えた多機能端末のことである。
【０００３】
この種の技術の先行文献としては、例えば、携帯電話を収納するポケット付き鞄（特許文献１）、携帯電話の専用収納部を有する鞄（特許文献２）、携帯電話収納ケース付き鞄（特許文献３）、携帯電話収納部付きバッグ（特許文献４）、携帯電話用ポーチを備えたマザーズバッグ（赤ん坊を連れて外出する母親が使いやすいように考えられたバッグ）（特許文献５）、携帯電話収納部を設けた財布（特許文献６）等が開示された文献がある。
前述の先行文献は、携帯電話を収納するものであるが、同様にタブレット端末を収納する専用スペース、又は、内部スペースを備えた鞄やバッグも知られている。
【先行技術文献】
【特許文献】
【０００４】
【特許文献１】特開平１０−２８６１２号公報
【特許文献２】特開２０００−１３９５４４号公報
【特許文献３】特開２００１−１９７９２０号公報
【特許文献４】特開平１０−４２９２８号公報
【特許文献５】特開２００２−３２７号公報
【特許文献６】実用新案登録３０５１１８５号公報
【発明の概要】
【発明が解決しようとする課題】
【０００５】
前述したように、タブレット端末を収納する専用スペース、又は、内部スペースを備えた鞄やバッグは知られている。
然しながら、特に、近年、広く普及したタブレット端末について、タブレット端末を鞄やバッグに収納するだけではなく、鞄やバッグによるタブレット端末の携行を容易にしたり、鞄やバッグからのタブレット端末の取り出しなどを容易にしたり、鞄やバッグによって、タブレット端末の機能の利便性を高めたい等の要望がある。
【０００６】
以上の現状に鑑み、本発明は、タブレット端末を使い易くすると共に、鞄本体を利用してタブレット端末の機能の利便性を高めた、タブレット端末収納体を備えた鞄を提供することを目的とする。
【課題を解決するための手段】
【０００７】
上記の課題を解決すべく、本発明は以下の構成を提供する。
請求項１に係る発明は、タブレット端末を収納自在であり、前面部に前記タブレット端末表示部の表示窓を具備するタブレット端末収納体の底面部と、鞄本体の底面部とを所定長さの可撓性連結帯によって連結し、前記可撓性連結帯を介して前記タブレット端末収納体を前記鞄本体の後面部に隣接させて並置自在に構成される、タブレット端末収納体を備えた鞄本体であって、
前記タブレット端末収納体の上端に、一端部に係止部を備えた上端ベルトの他端部を固着し、
前記タブレット端末収納体の下端両端部に、一端部に夫々係止部を備えた２本の下端ベルトの他端部を夫々固着し、
両端部に係止部を備えると共に長さ調節自在の延長ベルトの一端部の係止部を前記上端ベルトの係止部に係止自在に設け、
前記鞄本体を前面部が上面になるように横臥状態とし、横臥状態の前記鞄本体の底面部近傍の前面部上に、前記タブレット端末を収納した前記タブレット端末収納体が、その前面部上端が前記鞄本体の外方側に若干傾斜した斜め起立姿勢で載置した時、前記タブレット端末収納体の斜め起立姿勢を保持すべく、前記延長ベルトの一端部の係止部を前記上端ベルトの係止部に係止し、前記延長ベルトの他端部の係止部及び前記２本の下端ベルトの係止部を前記鞄本体の前面部に予め設けた対応する係止部に係止させるように構成したことを特徴とする、タブレット端末収納体を備えた鞄を提供するものである。
【０００８】
請求項２記載の発明は、前記可撓性連結帯は、前記タブレット端末収納体の底面部と、前記鞄本体の底面部とを夫々の底面部の長手方向中央線略中央部で連結することを特徴とする請求項１記載のタブレット端末収納体を備えた鞄を提供するものである。
【０００９】
請求項３記載の発明は、前記鞄本体を後面部が上面になるように横臥状態とし、横臥状態の前記鞄本体の底面部に、後面部に前記タブレット端末のカメラ部の撮影窓を具備する前記タブレット端末収納体の前面部を隣接させて前記タブレット端末収納体を起立姿勢で設置した時、前記タブレット端末収納体の起立姿勢を保持すべく、前記延長ベルトの一端部の係止部を前記上端ベルトの係止部に係止し、前記延長ベルトの他端部の係止部を前記鞄本体の後面部に予め設けた対応する係止部に係止させるように構成したことを特徴とする請求項１又は２記載のタブレット端末収納体を備えた鞄を提供するものである。
【００１０】
請求項４記載の発明は、前記鞄本体の前面部に、前記上端ベルトの一端部に備えた係止部を係止するための係止部を備え、
前記鞄本体の後面部に前記タブレット端末の前面部を隣接させて並置した時、前記鞄本体と、前記タブレット端末との隣接並置状態を保持するため、前記上端ベルトの一端部に備えた係止部を前記鞄本体の前面部に設けた対応する係止部に係止させるように構成したことを特徴とする請求項１乃至３のうちいずれか一に記載のタブレット端末収納体を備えた鞄を提供するものである。
【００１１】
請求項５記載の発明は、前記２本の下端ベルトの係止部を夫々係止させるため前記鞄本体の前面部に設けた係止部に、前記延長ベルトの両端に備えられた係止部を夫々係止させて前記延長ベルトを格納することを特徴とする請求項１乃至４のうちいずれか一に記載のタブレット端末収納体を備えた鞄を提供するものである。
【００１２】
請求項６記載の発明は、前記上端ベルトは長手方向中間部に回転金具を備え、前記上端ベルトの他端部に対し一端部が回転自在に構成されていることを特徴とする請求項１乃至５のうちいずれか一に記載のタブレット端末収納体を備えた鞄を提供するものである。
【発明の効果】
【００１３】
本発明によれば、タブレット端末を使い易くすると共に、鞄本体を利用してタブレット端末の機能の利便性を高めた、タブレット端末収納体を備えた鞄を提供することができる。
【図面の簡単な説明】
【００１４】
【図１】本発明に係るタブレット端末収納体を備えた鞄のタブレット端末収納体側から見た斜視図である。
【図２】（ａ）本発明に係るタブレット端末収納体を備えた鞄の鞄本体側から見た斜視図である。（ｂ）Ａ−Ａ線断面図。（ｃ）Ｂ−Ｂ線断面図。（ｄ）Ｃ−Ｃ線断面図。
【図３】（ａ）タブレット端末の正面図である。（ｂ）タブレット端末の平面図である。
【図４】本発明に係るタブレット端末収納体を備えた鞄の鞄本体とタブレット端末収納体とを共に横臥させた状態を示す斜視図である。
【図５】（ａ）横臥状態の鞄本体上に、タブレット端末収納体を斜め起立姿勢で載置して保持させた状態を示す斜視図である。（ｂ）Ｄ−Ｄ線断面図。（ｃ）Ｅ−Ｅ線断面図。（ｄ）Ｆ−Ｆ線断面図。（ｅ）Ｇ−Ｇ線断面図。（ｆ）Ｈ−Ｈ線断面図。（ｇ）Ｉ−Ｉ線断面図。
【図６】（ａ）横臥状態の鞄本体の底面部にタブレット端末収納体の前面部を隣接させてタブレット端末収納体を起立姿勢で設置して保持させた状態を示す斜視図である。（ｂ）Ｊ−Ｊ線断面図。（ｃ）Ｋ−Ｋ線断面図。
【発明を実施するための形態】
【００１５】
以下、実施例を示した図面を参照しつつ本発明の実施の形態を説明する。
図１及び図２に於いて、１は本発明のタブレット端末収納体を備えた鞄であり、タブレット端末収納体を備えた鞄１は、図３に示すタブレット端末２を収納自在であり、図５に示す如く、前面部にタブレット端末表示部３の表示窓４を具備し、図６に示す如く、後面部にタブレット端末２のカメラ部５の撮影窓６を具備するタブレット端末収納体７が鞄本体８に連結して備えられたものである。
具体的には、図４に示す如く、タブレット端末収納体７の底面部と、鞄本体８の底面部とが夫々の底面部の長手方向中央線略中央部で所定長さの可撓性連結帯９によって連結され、可撓性連結帯９を介してタブレット端末収納体７の前面部を図１に示す如く鞄本体８の後面部に隣接させてタブレット端末収納体７と鞄本体８とを並置自在に構成されている。
尚、前述したタブレット端末収納体７の底面部７ａと、鞄本体８の底面部８ａとが夫々の底面部の長手方向中央線略中央部で所定長さの可撓性連結帯９によって連結されることにより、図１に示す並置状態と逆に、可撓性連結帯９を介してタブレット端末収納体７の後面部を鞄本体８の前面部に隣接させてタブレット端末収納体７と鞄本体８とを並置させることも可能である。
そして、タブレット端末収納体７と鞄本体８とを前述の２通りの並置状態で並置させた場合に於いて、いずれの並置状態においても可撓性連結帯９がだぶついたりすることがなくタブレット端末収納体７と鞄本体８とが整然と隣接して並置し、見た目もスマートであり、使用時においても可撓性連結帯９が邪魔にならない利点がある。
【００１６】
タブレット端末収納体７は、皮、布、合成皮革、合成樹脂等で形成され、タブレット端末収納体７の上、左及び右端面には連続するファスナー１０を備え、タブレット端末２を上方向、左方向又は右方向から収納できるように、ファスナー１０にはダブルでスライダー１１，１１が取り付けられている。
又、鞄本体８は、皮、布、合成皮革、合成樹脂等で形成され、タブレット端末収納体７と並置した時、隣接面が略同じサイズとなることが望ましいが、それに限定されるものではない。又、鞄本体８は、上端開放の袋状に形成され、上端部が図１に示すファスナー１２で開閉自在に形成されている。尚、鞄本体８の形状も前述の形状に限定されるものではなく、他の形状であっても良い。
更に、可撓性連結帯９も、皮、布、合成皮革、合成樹脂等で形成されるが、特に、屈曲自在であると共に、強度が高いものが望ましい。
【００１７】
そして、図５に示す如く、タブレット端末収納体７は、タブレット端末収納体７の上端中央部に、一端部に係止部２１を備えた上端ベルト２２の他端部が固着され、タブレット端末収納体７の下端両端部に、一端部に夫々係止部２３，２４を備えた２本の下端ベルト２５，２６の他端部が夫々固着されている。
尚、上端ベルト２２は図２に示す如く長手方向略中間部に回転金具２７を備え、上端ベルト２２の他端部に対し一端部が回転自在に構成されている。
更に、両端部に係止部２８，２９を備えると共に調節金具３０によって長さ調節自在の延長ベルト３１の一端部の係止部２８が図５に示す如く上端ベルト２２の係止部２１に係止自在に設けられる。
前記上端ベルト２２、下端ベルト２５，２６、延長ベルト３１も皮、布、合成皮革、合成樹脂等で形成される。
【００１８】
而して、図５に示す如く、鞄本体８を前面部が上面になるように横臥状態とし、横臥状態の鞄本体８の底面部８a近傍の前面部上に、タブレット端末２を収納したタブレット端末収納体７が、その前面部上端が鞄本体８の外方側に若干傾斜した斜め起立姿勢で載置した時、タブレット端末収納体７の斜め起立姿勢を保持すべく、上端ベルト２２の回転金具２７を適宜回転させて上端ベルト２２の係止部２１に延長ベルト３１の一端部の係止部２８を係止し、延長ベルト３１の他端部の係止部２９及び２本の下端ベルト２５，２６の係止部２３，２４を鞄本体８の前面部に予め設けた対応する係止部３２，３３，３４に係止させる。
【００１９】
図５に示す状態では、横臥状態の鞄本体８の底面部近傍の前面部上にタブレット端末収納体７が載置されているので、タブレット端末表示部３がその分高い位置にあり、タブレット端末表示部３に表示する画像や、動画等を人が横臥姿勢や、仰臥姿勢で見るのに好適である。又、タブレット端末収納体７の前面部上端が鞄本体８の外方側に若干傾斜しているので、タブレット端末表示部３も同様に傾斜し、人が横臥姿勢や、仰臥姿勢で見る場合、或いは、人の目線よりも高い位置に置いて見る場合に好適な角度となる。
尚、延長ベルト３１の長さを調節金具３０で調節すれば、タブレット端末表示部３の角度を最適に調節することも可能である。
更に、図５に示す状態から、下端ベルト２５，２６の係止部２３，２４の係止を外した場合は、下端ベルト２５，２６をタブレット端末収納体７の前面部側に回転させ、タブレット端末収納体７の前面部に予め対応させて設けた係止部３５，３６に係止部２３，２４を夫々係止させて、下端ベルト２５，２６を一点鎖線の如く収納状態とすることができる。
【００２０】
又、図６に示す如く、鞄本体８を後面部が上面になるように横臥状態とし、横臥状態の鞄本体８の底面部にタブレット端末収納体７の前面部を隣接させてタブレット端末収納体７を起立姿勢で設置した時、タブレット端末収納体７の起立姿勢を保持すべく、上端ベルト２２の回転金具２７を適宜回転させて上端ベルト２２の係止部２１に延長ベルト３１の一端部の係止部２８を係止し、延長ベルト３１の他端部の係止部２９を鞄本体８の後面部に予め設けた対応する係止部３７に係止させる。
【００２１】
図６に示す状態では、横臥状態の鞄本体８の底面部にタブレット端末収納体７の前面部を隣接させてタブレット端末収納体７を起立姿勢で設置するので、タブレット端末収納体７の起立姿勢が保持され、タブレット端末収納体７の後面部の撮影窓６を通してカメラ部５による撮影を安定した姿勢で行うことができ、例えばゴルフ練習場でのスイング撮影などに好適である。
尚、延長ベルト３１の長さを調節金具３０で調節すれば、カメラ部５の角度を最適に調節することも可能である。またこの時、底面となっている鞄本体前面部においては、下端ベルト２５、２６の係止部３５、３６が鞄本体８の前面側に備わる係止部２３、２４に係止して固定されている（要は、図５で説明したベルト２５、２６の係止状態と略同じ係止方法により固定されている。）。
【００２２】
更に、本発明のタブレット端末収納体を備えた鞄１は、図２に示す如く、鞄本体８の後面部にタブレット端末収納体７の前面部を隣接させて並置した時、鞄本体８前面部に前記下端ベルト２５の係止部２３、下端ベルト２６の係止部２４を夫々係止させるべく対応させて設けた２つの係止部３３，３４に、延長ベルト３１の両端に備えられた係止部２８，２９を係止させて、鞄本体８の前面部の頂部近傍に延長ベルト３１を格納することができる。尚、当然のことながら、図２に於いては、２つの係止部３３，３４に、下端ベルト２５の係止部２３、下端ベルト２６の係止部２４は係止していない。
更に又、鞄本体８と、タブレット端末収納体７との隣接並置状態を保持するため、上端ベルト２２の回転金具２７を適宜回転させて上端ベルト２２の一端部に備えた係止部２１を、前述した延長ベルト３１の係止部２９に対応させて鞄本体８の前面部に設けた前記係止部３２に係止させることが可能である。
【００２３】
図２に示す状態では、鞄本体８の後面部にタブレット端末収納体７の前面部を隣接させて並置し、上端ベルト２２の一端部に備えた係止部２１を鞄本体８の係止部３５に係止させるので、鞄本体８と、タブレット端末収納体７との隣接並置状態が保持されると共に、鞄本体８の前面部の頂部近傍に延長ベルト３１を保持させ格納するので延長ベルト３１の紛失を防止することができる。
【００２４】
又、図２に示す状態は、タブレット端末収納体を備えた鞄１を携行する状態であり、この状態で、タブレット端末収納体を備えた鞄１が携行し易くなると共に、上端ベルト２２及び延長ベルト３１の各係止部２１，２８，２９が外から見えない位置にあることから外観上も好適である。特に、上端ベルト２２は、回転金具２７によって、係止部２１の向きを変えることができ、外から見えない位置に位置させることが出来ると共に、図６に示すように回転金具２７によって上端ベルト２２の係止部２１を回転させて延長ベルト３１と係止させることができるため、結果として延長ベルト３１も図２に示す状態で係止部２８，２９を外から見えない位置に設けることができる。
又、係止部２１と係止部３２との係止を外し、可撓性連結帯９を介してタブレット端末収納体７の後面部と鞄本体８の前面部を隣接させて並置させるように回転させれば、タブレット端末収納体７の表示窓４を通してタブレット端末２のタブレット端末表示部３を直ぐに閲覧したり、操作可能である。
尚、タブレット端末収納体７は、タブレット端末２を外部から操作するスイッチ類を操作できるように、適宜箇所に穴が開けられていることが望ましい。
【００２５】
尚、前記係止部２１，２３，２４，２８，２９，３２，３３，３４，３５，３６，３７は面ファスナーで形成され、互いに係止する一組の係止部は一方がメスの面ファスナーで形成され、他方がオスの面ファスナーで形成されている。
実施例に於ける面ファスナーのオス、メスの関係を図２（ｂ）〜（ｄ）、図５（ｂ）〜（ｇ）、図６（ｂ）〜（ｃ）に示す。
尚、前記面ファスナーのオス、メスの関係は、前図に示した状態と逆になっても良い。
更に、前記係止部２１，２３，２４，２８，２９，３２，３３，３４，３５，３６，３７は、面ファスナーの代わりにボタンやフック、ホック等の係止部材であっても良い。
【００２６】
なお上記「鞄」には例えば、セカンドバックをはじめショルダーバッグなど広く鞄類が含まれるものである。
【００２７】
なお上記では、延長ベルト３１の長さ調整が調整金具３０により行われていたが、調整機構はこれに限られず、例えば面ファスナーを利用して所望の位置で固定できるようにしてもよい。
【符号の説明】
【００２８】
１  タブレット端末収納体を備えた鞄
２  タブレット端末
３  タブレット端末表示部
４  表示窓
５  カメラ部
６  撮影窓
７  タブレット端末収納体
８  鞄本体
９  可撓性連結帯
１０，１２  ファスナー
２１，２３，２４，２８，２９，３２，３３，３４，３５，３６，３７  係止部
２２  上端ベルト
２５，２６  下端ベルト
２７  回転金具
３１  延長ベルト
【図１】
2014018253.tif 000003
【図２】
2014018253.tif 000004
【図３】
2014018253.tif 000005
【図４】
2014018253.tif 000006
【図５】
2014018253.tif 000007
【図６】
2014018253.tif 000008